(57)【要約】【課題】  小形で出力電力の損失の少ない高出力増幅器を得る。【解決手段】  ベース電流に応じて入力される高周波信号を増幅する主増幅器２と、差分電流Ｉｓｅｔ−Ｉｆｂに応じて主増幅器２のベース電流を制御するベースバイアス回路５と、基準電源７の基準電圧Ｖｓｅｔに応じた基準電流Ｉｓｅｔを発生する基準回路６と、ベースバイアス回路５のベース電流を検波し、その検波電流を基準回路６の基準電流にレベル調整したフィードバック電流Ｉｆｂを生成する検出回路８と、基準回路６の基準電流Ｉｓｅｔと検出回路８によりレベル調整されたフィードバック電流Ｉｆｂとの差分電流Ｉｓｅｔ−Ｉｆｂをベースバイアス回路５に帰還する電流比較回路９とを備えた。主増幅器２のベース電流を制御するベースバイアス回路５のそのベース電流を検波するので、分配器を用いることなく、小形で出力電力の損失を少なくすることができる。【選択図】        図１
2006295551.tif 000002
【特許請求の範囲】
【請求項１】
バイポーラトランジスタを増幅素子として構成され、ベース電流に応じて入力される高周波信号を増幅する高周波増幅回路と、
差分電流に応じて上記高周波増幅回路のベース電流を制御するベースバイアス回路と、
基準電源電圧に応じた基準電流を発生する基準回路と、
上記ベースバイアス回路のベース電流を検波し、その検波電流を上記基準回路の基準電流にレベル調整する検出回路と、
上記基準回路の基準電流と上記検出回路のレベル調整された検波電流との差分電流を上記ベースバイアス回路に帰還する電流比較回路とを備えた高出力増幅器。
【請求項２】
高周波増幅回路の出力電力に対するベース電流の変化量と、基準電源電圧に対する基準電流の変化量とを等しくしたことを特徴とする請求項１記載の高出力増幅器。
【請求項３】
バイポーラトランジスタを増幅素子として構成され、ベース電流に応じて入力される高周波信号を増幅する高周波増幅回路と、
上記高周波増幅回路にコレクタ電流を供給するコレクタバイアス回路と、
差分電流に応じて上記高周波増幅回路のベース電流を制御するベースバイアス回路と、
基準電源電圧に応じた基準電流を発生する基準回路と、
上記コレクタバイアス回路により上記高周波増幅回路に供給されるコレクタ電流を検波し、その検波電流を上記基準回路の基準電流にレベル調整する検出回路と、
上記基準回路の基準電流と上記検出回路のレベル調整された検波電流との差分電流を上記ベースバイアス回路に帰還する電流比較回路とを備えた高出力増幅器。
【請求項４】
高周波増幅回路の出力電力に対するコレクタ電流の変化量と、基準電源電圧に対する基準電流の変化量とを等しくしたことを特徴とする請求項３記載の高出力増幅器。
【請求項５】
請求項１から請求項４のうちのいずれか１項記載の高出力増幅器を最終段増幅器に適用したことを特徴とする多段高出力増幅器。
【発明の詳細な説明】
【技術分野】
【０００１】
この発明は、衛星通信、地上波マイクロ波通信または移動体通信等に使用される高出力増幅器および多段高出力増幅器に関するものである。
【背景技術】
【０００２】
携帯電話端末用高周波増幅器においては、基地局までの距離および環境条件に応じて出力電力を制御する必要がある。その場合、出力電力制御の精度向上や調整に要する時間短縮のために帰還形制御回路構成が一般に用いられる。
従来の帰還形制御回路構成を用いた高周波増幅器モジュールとしては、高周波入力端子より入力される高周波信号を増幅する主増幅器と、高周波出力端子において出力整合する出力整合回路と、出力整合回路および高周波出力端子間に設けられ、増幅された高周波信号の一部を分配する分配器と、分配された高周波信号を検波し、電圧信号に変換するログアンプと、その電圧信号および制御端子に供給される電圧に応じて主増幅器に供給するバイアス電圧を変化させ、主増幅器の出力電力を制御する制御回路とを備えたものがある。（例えば、非特許文献１参照）。
【０００３】
【非特許文献１】２００３  ＩＥＥＥ  Ｒａｄｉｏ  Ｆｒｅｑｕｅｎｃｙ  Ｉｎｔｅｇｒａｔｅｄ  Ｃｉｒｃｕｉｔｓ  Ｓｙｍｐｏｓｉｕｍ  ｐ．１２９−１３２
【発明の開示】
【発明が解決しようとする課題】
【０００４】
従来の高周波増幅器は以上のように構成されているので、主増幅器の出力電力を検波する手段として分配器を用いているので、この分配器を用いることによって全体のモジュールサイズが大きくなってしまう。また、高周波出力端子側にその分配器を設けているので、その分配器の分岐による損失がそのまま出力電力の低下につながってしまうというなどの課題があった。
【０００５】
この発明は上記のような課題を解決するためになされたもので、小形で出力電力の損失の少ない高出力増幅器および多段高出力増幅器を得ることを目的とする。
【課題を解決するための手段】
【０００６】
この発明に係る高出力増幅器は、バイポーラトランジスタを増幅素子として構成され、ベース電流に応じて入力される高周波信号を増幅する高周波増幅回路と、差分電流に応じて高周波増幅回路のベース電流を制御するベースバイアス回路と、基準電源電圧に応じた基準電流を発生する基準回路と、ベースバイアス回路のベース電流を検波し、その検波電流を基準回路の基準電流にレベル調整する検出回路と、基準回路の基準電流と検出回路のレベル調整された検波電流との差分電流をベースバイアス回路に帰還する電流比較回路とを備えたものである。
【発明の効果】
【０００７】
この発明によれば、高周波増幅回路のベース電流を制御するベースバイアス回路のそのベース電流を検波するので、分配器を用いることなく、小形で出力電力の損失を少なくすることができる効果がある。
【発明を実施するための最良の形態】
【０００８】
実施の形態１．
図１はこの発明の実施の形態１による高出力増幅器を示すブロック図であり、図において、主増幅器（高周波増幅回路）２は、バイポーラトランジスタを増幅素子として構成され、後述するベースバイアス回路５から供給されるベース電流に応じて、高周波入力端子１から入力される高周波信号を増幅するものである。出力整合回路３は、主増幅器２に接続され、高周波出力端子４において出力整合するものである。
ベースバイアス回路５は、後述する電流比較回路９からの差分電流に応じて主増幅器２のベース電流を制御するものである。基準回路６は、基準電源７の基準電圧Ｖｓｅｔに応じた基準電流Ｉｓｅｔを発生するものである。検出回路８は、ベースバイアス回路５のベース電流を検波し、その検波電流を基準回路６の基準電流Ｉｓｅｔにレベル調整されたフィードバック電流Ｉｆｂに変換するものである。電流比較回路９は、基準回路６の基準電流Ｉｓｅｔと検出回路８のレベル調整されたフィードバック電流Ｉｆｂとの差分電流をベースバイアス回路５に帰還するものである。
【０００９】
次に動作について説明する。
図１において、高周波信号は高周波入力端子１より主増幅器２に入力され増幅された後、高周波出力端子４より出力される。ここで、主増幅器２のベース電極はベースバイアス回路５に接続され、ベース電流が供給されている。また、基準回路６は、基準電源７の基準電圧Ｖｓｅｔに応じて基準電流Ｉｓｅｔを発生する。ベースバイアス回路５のベース電流は、検出回路８に入力され、基準電流Ｉｓｅｔとレベルが合わせられた後、フィードバック電流Ｉｆｂとして出力される。
電流比較回路９では、基準回路６の基準電流Ｉｓｅｔと検出回路８のフィードバック電流Ｉｆｂとの差分電流Ｉｓｅｔ−Ｉｆｂをベースバイアス回路５にフィードバックする。電流比較回路９およびベースバイアス回路５は、その差分電流Ｉｓｅｔ−Ｉｆｂが０となるようにフィードバック制御を続け、０となったところで収束する。
【００１０】
図２は主増幅器の出力電力Ｐｏｕｔとフィードバック電流Ｉｆｂの対数との関係を示す特性図である。図２において、検出回路８によるフィードバック電流Ｉｆｂは、主増幅器２のベース電流に比例するため、主増幅器２の出力電力Ｐｏｕｔが増加するとそれに伴い増加する。したがって、主増幅器２の出力電力Ｐｏｕｔと、フィードバック電流Ｉｆｂの対数（ｌｏｇ値）とは、１次関数の関係にある。
図３は基準電源の基準電圧Ｖｓｅｔと基準電流Ｉｓｅｔの対数との関係を示す特性図である。図３において、基準電源７の基準電圧Ｖｓｅｔと、基準回路６による基準電流Ｉｓｅｔの対数（ｌｏｇ値）とが比例し、且つ図２に示した特性の傾きと図３に示した特性の傾きと等しくなるように、この高出力増幅器を構成する。
図４は基準電源の基準電圧Ｖｓｅｔと主増幅器の出力電力Ｐｏｕｔとの関係を示す特性図である。図４において、図２および図３から出力電力Ｐｏｕｔとフィードバック電流Ｉｆｂの対数とは等しく、基準電圧Ｖｓｅｔと基準電流Ｉｓｅｔの対数とは等しく、且つ電流比較回路９により、基準電流Ｉｓｅｔとフィードバック電流Ｉｆｂとの差分電流は０となるので、図４に示すように、基準電圧Ｖｓｅｔと出力電力Ｐｏｕｔとの関係も１次関数の関係になる。すなわち、基準電源７の基準電圧Ｖｓｅｔにより主増幅器２の出力電力Ｐｏｕｔを制御することが可能となる。
【００１１】
図５はベースバイアス回路の詳細を示す回路図であり、図において、端子Ａは、後述する図６の検出回路の端子Ａに接続され、フィードバック電流Ｉｆｂが出力されるものである。端子Ｂは、後述する図７の基準回路の端子Ｂに接続され、基準電流Ｉｓｅｔが入力されるものである。抵抗１２は、バイアス電源１１および端子Ａ，Ｂの交点に接続されたものである。ｎｐｎカレントミラー回路１３は、２つのｎｐｎトランジスタ１３ａ，１３ｂからなり、ｎｐｎトランジスタ１３ａのコレクタが抵抗１２に接続されたものである。ｐｎｐカレントミラー回路１４は、２つのｐｎｐトランジスタ１４ａ，１４ｂおよび２つの抵抗１４ｃ，１４ｄからなり、バイアス電源１１に接続され、ｐｎｐトランジスタ１４ａのコレクタがｎｐｎトランジスタ１３ｂのコレクタに接続されたものである。バイアストランジスタ１５は、コレクタがｐｎｐトランジスタ１４ｂのコレクタに接続されたものである。端子Ｃは、後述する図６の検出回路の端子Ｃに接続され、検波電流Ｉｋｅｎｐａが入力されるものである。ベース電流補償トランジスタ１６は、コレクタが端子Ｃに接続され、ベースがｐｎｐトランジスタ１４ｂおよびバイアストランジスタ１５間に接続されたものである。バイアス印加インダクタ１７は、バイアストランジスタ１５のベースおよびベース電流補償トランジスタ１６のエミッタに接続され、さらに、主増幅器２を構成するバイポーラトランジスタのベースに接続され、ベース電流Ｉｂを供給するものである。なお、バイアストランジスタ１５と主増幅器２を構成するバイポーラトランジスタとはカレントミラー回路を構成するものである。
【００１２】
図６は検出回路の詳細を示す回路図であり、図において、ｐｎｐカレントミラー回路２１は、２つのｐｎｐトランジスタ２１ａ，２１ｂおよび２つの抵抗２１ｃ，２１ｄからなり、バイアス電源１１に接続されたものである。端子Ｃは、ｐｎｐトランジスタ２１ａのコレクタに接続されたものである。ｎｐｎカレントミラー回路２２は、２つのｎｐｎトランジスタ２２ａ，２２ｂおよび２つの抵抗２２ｃ，２２ｄからなり、ｎｐｎトランジスタ２２ａのコレクタがｐｎｐトランジスタ２１ｂのコレクタに接続されたものである。端子Ａは、ｎｐｎトランジスタ２２ｂのコレクタに接続されたものである。
【００１３】
図７は基準回路の詳細を示す回路図であり、図において、抵抗３１ａ〜３１ｆは、基準電源７およびバイアス電源１１に接続されたものである。トランジスタ３２ａ〜３２ｃは、抵抗３１ａに直列接続されたものである。ｐｎｐカレントミラー回路３３は、２つのｐｎｐトランジスタ３３ａ，３３ｂおよび２つの抵抗３３ｃ，３３ｄからなり、バイアス電源１１に接続されたものである。ｎｐｎトランジスタ３４は、ベースが抵抗３１ｆに接続され、コレクタがｐｎｐトランジスタ３３ａのコレクタに接続されたものである。ｎｐｎカレントミラー回路３５は、２つのｎｐｎトランジスタ３５ａ，３５ｂおよび２つの抵抗３５ｃ，３５ｄからなり、ｎｐｎトランジスタ３５ａのコレクタがｐｎｐトランジスタ３３ｂのコレクタに接続されたものである。ｐｎｐカレントミラー回路３６は、２つのｐｎｐトランジスタ３６ａ，３６ｂおよび２つの抵抗３６ｃ，３６ｄからなり、バイアス電源１１に接続され、ｐｎｐトランジスタ３６ａのコレクタがｎｐｎトランジスタ３５ｂのコレクタに接続されたものである。端子Ｂは、ｐｎｐトランジスタ３６ｂのコレクタに接続されたものである。
【００１４】
図５のベースバイアス回路５において、端子Ａからはフィードバック電流Ｉｆｂが図６の検出回路８の端子Ａに出力され、端子Ｂからは基準電流Ｉｓｅｔが図７の基準回路６の端子Ｂから入力される。したがって、このベースバイアス回路５に、基準回路６の基準電流Ｉｓｅｔと検出回路８のフィードバック電流Ｉｆｂとの差分電流がフィードバックされる。これが電流比較回路９に相当する回路である。
差分電流Ｉｓｅｔ−Ｉｆｂは、ｎｐｎカレントミラー回路１３によりカレントミラー比倍に変化され、その電流は、ｐｎｐカレントミラー回路１４により、さらにカレントミラー比倍に変化され、バイアストランジスタ１５のコレクタ電流となる。このバイアストランジスタ１５と主増幅器２を構成するバイポーラトランジスタとはカレントミラー回路を構成しているので、カレントミラー比に応じたベース電流Ｉｂがバイアス印加インダクタ１７を通じて主増幅器２のベースに供給される。また、ベース電流Ｉｂの増減に応じてベース電流補償トランジスタ１６に流れる検波電流Ｉｋｅｎｐａが増減し、この検波電流Ｉｋｅｎｐａは図６の検出回路８で利用される。
なお、ここでは、検波電流Ｉｋｅｎｐａが検出回路８での処理が容易となるように、ｎｐｎカレントミラー回路１３およびｐｎｐカレントミラー回路１４を用いて増大したが、場合によっては、ｎｐｎカレントミラー回路１３およびｐｎｐカレントミラー回路１４を用いなくても良い。また、カレントミラー比も同様に処理が容易となるように調整するようにしても良い。
【００１５】
図６の検出回路８において、ベースバイアス回路５の検波電流Ｉｋｅｎｐａは、ｐｎｐカレントミラー回路２１によりカレントミラー比倍に変化され、その電流は、ｎｐｎカレントミラー回路２２により、さらにカレントミラー比倍に変化され、フィードバック電流Ｉｆｂとしてベースバイアス回路５にフィードバックされる。
したがって、図５のベースバイアス回路５において、差分電流Ｉｓｅｔ−Ｉｆｂが生じた場合には、検波電流Ｉｋｅｎｐａが大きくなることによってフィードバック電流Ｉｆｂが大きくなり、差分電流Ｉｓｅｔ−Ｉｆｂが０になるように制御される。
なお、カレントミラー比は処理が容易となるように調整するようにしても良い。
【００１６】
図７の基準回路６において、基準電源７の基準電圧Ｖｓｅｔと抵抗３１ａ〜３１ｆとによって決定される電流は、ｎｐｎトランジスタ３４に供給される。ｎｐｎトランジスタ３４のコレクタ電流は、ｐｎｐカレントミラー回路３３、３６およびｎｐｎカレントミラー回路３５のそれぞれカレントミラー比に応じて変化された後、基準電流Ｉｓｅｔとしてベースバイアス回路５に出力される。
したがって、基準電源７の基準電圧Ｖｓｅｔを大きくして基準電流Ｉｓｅｔを大きくすれば、差分電流Ｉｓｅｔ−Ｉｆｂが生じ、ベース電流Ｉｂが大きくなり主増幅器２の出力電力Ｐｏｕｔが大きくなる。また、ベース電流Ｉｂが大きくなることによって検波電流Ｉｋｅｎｐａが大きくなり、フィードバック電流Ｉｆｂが大きくなることによって、差分電流Ｉｓｅｔ−Ｉｆｂが０になるように制御される。
なお、ここでは、差分電流Ｉｓｅｔの処理が容易となるように、ｐｎｐカレントミラー回路３３、３６およびｎｐｎカレントミラー回路３５を用いて増大したが、場合によっては、ｐｎｐカレントミラー回路３３、３６およびｎｐｎカレントミラー回路３５を用いなくても良い。また、カレントミラー比も同様に処理が容易となるように調整するようにしても良い。
【００１７】
以上のように、この実施の形態１によれば、主増幅器２のベース電流を制御するベースバイアス回路５のベース電流を検波するので、分配器を用いることなく、小形で出力電力の損失を少なくすることができる。
また、図５および図６に示したベースバイアス回路５および検出回路８により、図２に示したように、主増幅器２の出力電力Ｐｏｕｔと、フィードバック電流Ｉｆｂの対数（ｌｏｇ値）とを１次関数の関係にし、図７に示した基準回路６により、図３に示したように、基準電源７の基準電圧Ｖｓｅｔと、基準回路６による基準電流Ｉｓｅｔの対数（ｌｏｇ値）とが比例し、且つ図２に示した特性の傾きと図３に示した特性の傾きと等しくなるように、この高出力増幅器を構成したので、基準回路６の基準電流Ｉｓｅｔと検出回路８のレベル調整されたフィードバック電流Ｉｆｂとの差分電流Ｉｓｅｔ−Ｉｆｂを単純にベースバイアス回路５に帰還するだけで、基準電源７の基準電圧Ｖｓｅｔに応じて主増幅器２の出力電力Ｐｏｕｔを高精度に制御することができる。
さらに、ベースバイアス回路５、基準回路６および検出回路８は、図５から図７に示したように主にトランジスタから構成されているので、主増幅器と共に１チップ化して回路規模を小さくすることができる。
さらに、図５から図７に示したようにベースバイアス回路５、基準回路６および検出回路８は、調整箇所が豊富なため、あらゆる主増幅器２に対応することができる。
なお、上記実施の形態１では、図２および図３に示したように、電流の対数（ｌｏｇ値）で比較を行ったが、必ずしも対数での比較を行う必要はない。
【００１８】
実施の形態２．
図８はこの発明の実施の形態２による高出力増幅器を示すブロック図であり、図において、コレクタ電源４１、バイアス印加インダクタ４２および微小抵抗４３からなるコレクタバイアス回路は、主増幅器２にコレクタ電流を供給するものである。
ベースバイアス回路５ａは、電流比較回路９からの差分電流に応じて主増幅器２のベース電流を制御するものであるが、その詳細を示した図５と異なる点は、端子Ｃの代わりに単にバイアス電源１１が接続されたものである。
検出回路８ａは、コレクタバイアス回路により主増幅器２に供給されるコレクタ電流を検波し、その検波電流を基準回路６の基準電流Ｉｓｅｔにレベル調整されたフィードバック電流Ｉｃｃに変換するものである。その詳細を示した図６と異なる点は、ｐｎｐカレントミラー回路２１のｐｎｐトランジスタ２１ａに、図８における微小抵抗４３から検出されるコレクタ電流が流れるようにしたものである。その他、ベースバイアス回路５ａにフィードバック電流Ｉｃｃがフィードバックされる以外は、図１と同様である。
【００１９】
次に動作について説明する。
図８において、高周波信号は高周波入力端子１より主増幅器２に入力され増幅された後、高周波出力端子４より出力される。ここで、主増幅器２のベース電極はベースバイアス回路５ａに接続され、ベース電流が供給されている。また、主増幅器２のコレクタには、コレクタ電源４１、バイアス印加インダクタ４２および微小抵抗４３からなるコレクタバイアス回路からコレクタ電流が供給される。微小抵抗４３によって生じる電圧降下からコレクタ電流に比例した電流が検出回路８ａによって検出され、基準電流Ｉｓｅｔとレベルが合わせられた後、フィードバック電流Ｉｃｃとして出力される。
電流比較回路９では、基準回路６の基準電流Ｉｓｅｔと検出回路８ａのフィードバック電流Ｉｃｃとの差分電流をベースバイアス回路５ａにフィードバックする。電流比較回路９およびベースバイアス回路５ａは、その差分電流が０となるようにフィードバック制御を続け、０となったところで収束する。
【００２０】
図９は主増幅器の出力電力Ｐｏｕｔとフィードバック電流Ｉｃｃの対数との関係を示す特性図である。図９において、検出回路８ａによるフィードバック電流Ｉｃｃは、主増幅器２のコレクタ電流に比例するため、主増幅器２の出力電力Ｐｏｕｔが増加するとそれに伴い増加する。したがって、主増幅器２の出力電力Ｐｏｕｔと、フィードバック電流Ｉｃｃの対数（ｌｏｇ値）とは、１次関数の関係にある。
図１０は基準電源の基準電圧Ｖｓｅｔと基準電流Ｉｓｅｔの対数との関係を示す特性図である。図１０において、基準電源７の基準電圧Ｖｓｅｔと、基準回路６による基準電流Ｉｓｅｔの対数（ｌｏｇ値）とが比例し、且つ図９に示した特性の傾きと図１０に示した特性の傾きと等しくなるように、この高出力増幅器を構成する。
図１１は基準電源の基準電圧Ｖｓｅｔと主増幅器の出力電力Ｐｏｕｔとの関係を示す特性図である。図１１において、図９および図１０から出力電力Ｐｏｕｔとフィードバック電流Ｉｃｃの対数とは等しく、基準電圧Ｖｓｅｔと基準電流Ｉｓｅｔの対数とは等しく、且つ電流比較回路９により、基準電流Ｉｓｅｔとフィードバック電流Ｉｃｃとの差分電流は０となるので、図１１に示すように、基準電圧Ｖｓｅｔと出力電力Ｐｏｕｔとの関係も１次関数の関係になる。すなわち、基準電源７の基準電圧Ｖｓｅｔにより主増幅器２の出力電力Ｐｏｕｔを制御することが可能となる。
【００２１】
以上のように、この実施の形態２によれば、コレクタバイアス回路により主増幅器２に供給されるコレクタ電流を、微小回路４３および検出回路８ａにより検波するので、分配器を用いることなく、小形で出力電力の損失を少なくすることができる。
また、図５および図６に示したベースバイアス回路５ａおよび検出回路８ａにより、図９に示したように、主増幅器２の出力電力Ｐｏｕｔと、フィードバック電流Ｉｃｃの対数（ｌｏｇ値）とを１次関数の関係にし、図７に示した基準回路６により、図１０に示したように、基準電源７の基準電圧Ｖｓｅｔと、基準回路６による基準電流Ｉｓｅｔの対数（ｌｏｇ値）とが比例し、且つ図９に示した特性の傾きと図１０に示した特性の傾きと等しくなるように、この高出力増幅器を構成したので、基準回路６の基準電流Ｉｓｅｔと検出回路８のレベル調整されたフィードバック電流Ｉｃｃとの差分電流Ｉｓｅｔ−Ｉｃｃを単純にベースバイアス回路５ａに帰還するだけで、基準電源７の基準電圧Ｖｓｅｔに応じて主増幅器２の出力電力Ｐｏｕｔを高精度に制御することができる。
さらに、ベースバイアス回路５ａ、基準回路６および検出回路８ａは、図５から図７に示したように主にトランジスタから構成されているので、主増幅器と共に１チップ化して回路規模を小さくすることができる。
さらに、図５から図７に示したようにベースバイアス回路５ａ、基準回路６および検出回路８ａは、調整箇所が豊富なため、あらゆる主増幅器２に対応することができる。
なお、上記実施の形態２では、図９および図１０に示したように、電流の対数（ｌｏｇ値）で比較を行ったが、必ずしも対数での比較を行う必要はない。
【００２２】
実施の形態３．
図１２はこの発明の実施の形態３による多段高出力増幅器を示すブロック図であり、図において、前段増幅器５２，５３は、高周波入力端子１から入力される高周波信号を順に増幅するものである。最終段増幅器５４は、上記実施の形態１または上記実施の形態２で示した高出力増幅器に相当するものであり、前段増幅器５２，５３の最終段に接続され、高周波信号を増幅し、高周波出力端子５５より出力するものである。
【００２３】
次に動作について説明する。
図１２において、高周波信号は高周波入力端子５１より前段増幅器５２に入力され、増幅された後、前段増幅器５３により増幅され、さらに、最終段増幅器５４により増幅された後、高周波出力端子５５より出力される。
ここで、最終段増幅器５４は、上記実施の形態１または上記実施の形態２で示したように、基準電源７の基準電圧Ｖｓｅｔによって出力電力制御が可能な増幅器である。
【００２４】
以上のように、この実施の形態３によれば、多段高出力増幅器にも、上記実施の形態１または上記実施の形態２で示した高出力増幅器を適用でき、出力電力制御を行うことができる。
また、出力電力制御範囲を増加させたい場合には、最終段を含む複数段増幅器に上記実施の形態１または上記実施の形態２で示した高出力増幅器を適用するようにしても良い。
【図面の簡単な説明】
【００２５】
【図１】この発明の実施の形態１による高出力増幅器を示すブロック図である。
【図２】主増幅器の出力電力Ｐｏｕｔとフィードバック電流Ｉｆｂの対数との関係を示す特性図である。
【図３】基準電源の基準電圧Ｖｓｅｔと基準電流Ｉｓｅｔの対数との関係を示す特性図である。
【図４】基準電源の基準電圧Ｖｓｅｔと主増幅器の出力電力Ｐｏｕｔとの関係を示す特性図である。
【図５】ベースバイアス回路の詳細を示す回路図である。
【図６】検出回路の詳細を示す回路図である。
【図７】基準回路の詳細を示す回路図である。
【図８】この発明の実施の形態２による高出力増幅器を示すブロック図である。
【図９】主増幅器の出力電力Ｐｏｕｔとフィードバック電流Ｉｃｃの対数との関係を示す特性図である。
【図１０】基準電源の基準電圧Ｖｓｅｔと基準電流Ｉｓｅｔの対数との関係を示す特性図である。
【図１１】基準電源の基準電圧Ｖｓｅｔと主増幅器の出力電力Ｐｏｕｔとの関係を示す特性図である。
【図１２】この発明の実施の形態３による多段高出力増幅器を示すブロック図である。
【符号の説明】
【００２６】
１，５１  高周波入力端子、２  主増幅器（高周波増幅回路）、３  出力整合回路、４，５５  高周波出力端子、５，５ａ  ベースバイアス回路、６  基準回路、７  基準電源、８，８ａ  検出回路、９  電流比較回路、１１  バイアス電源、１２，１４ｃ，１４ｄ，２２ｃ，２２ｄ，３１ａ〜３１ｆ，３３ｃ，３３ｄ，３５ｃ，３５ｄ，３６ｃ，３６ｄ  抵抗、１３，２２，３５  ｎｐｎカレントミラー回路、１３ａ，１３ｂ，２２ａ，２２ｂ，３４，３５ａ，３５ｂ  ｎｐｎトランジスタ、１４，２１，３３，３６  ｐｎｐカレントミラー回路、１４ａ，１４ｂ，２１ａ，２１ｂ，３３ａ，３３ｂ，３６ａ，３６ｂ  ｐｎｐトランジスタ、１５  バイアストランジスタ、１６  ベース電流補償トランジスタ、１７  バイアス印加インダクタ、３２ａ〜３２ｃ  トランジスタ、４１  コレクタ電源、４２  バイアス印加インダクタ、４３  微小抵抗、５２，５３  前段増幅器、５４  最終段増幅器。
【図１】
2006295551.tif 000003
【図２】
2006295551.tif 000004
【図３】
2006295551.tif 000005
【図４】
2006295551.tif 000006
【図５】
2006295551.tif 000007
【図６】
2006295551.tif 000008
【図７】
2006295551.tif 000009
【図８】
2006295551.tif 000010
【図９】
2006295551.tif 000011
【図１０】
2006295551.tif 000012
【図１１】
2006295551.tif 000013
【図１２】
2006295551.tif 000014